【手続補正書】
【提出日】平成17年7月27日(2005.7.27)
【手続補正１】
【補正対象書類名】特許請求の範囲
【補正対象項目名】全文
【補正方法】変更
【補正の内容】
【特許請求の範囲】
【請求項１】
2H、3H、および18Oよりなる群から選択される標識で標識された水を、その標識水の標識が1種以上のタンパク質またはペプチドに取り込まれて標識および非標識のタンパク質またはペプチドを生成するのに十分な時間にわたって投与した個体の1種以上のタンパク質またはペプチドの生合成速度をin vitroで決定する方法であって、
(a)前記1種以上の標識されたタンパク質またはペプチドへの前記標識の取込みを検出して、前記1種以上のタンパク質またはペプチドの生合成速度を決定するステップ
を含む、前記方法。
【請求項２】
前記標識が2Hである、請求項１に記載の方法。
【請求項３】
ステップ(a)の前に、前記1種以上の標識および非標識のタンパク質またはペプチドを部分的に精製する追加のステップを含む、請求項１に記載の方法。
【請求項４】
ステップ(a)が、前記1種以上の標識または非標識のタンパク質またはペプチドを質量分析法により検出することを含む、請求項１に記載の方法。
【請求項５】
ステップ(a)が、前記1種以上の標識または非標識のタンパク質またはペプチドを液体シンチレーション計数法により検出することを含む、請求項１に記載の方法。
【請求項６】
前記標識水が前記個体に経口投与されている、請求項１に記載の方法。
【請求項７】
ステップ(a)の前に、前記1種以上のタンパク質またはペプチドを加水分解して、加水分解されたアミノ酸および場合によりオリゴタンパク質を生成させる追加のステップを含む、請求項１に記載の方法。
【請求項８】
ステップ(a)が、前記アミノ酸またはオリゴペプチドへの前記標識の取込みを検出することを含む、請求項７に記載の方法。
【請求項９】
前記加水分解されたアミノ酸またはオリゴペプチドが、ガスクロマトグラフィーまたはHPLCにより分離される、請求項７に記載の方法。
【請求項１０】
前記個体がヒトである、請求項１に記載の方法。
【請求項１１】
2H、3H、および18Oよりなる群から選択される標識で標識された水を、その標識水の標識が1種以上のタンパク質またはペプチドに取り込まれることにより標識および非標識のタンパク質またはペプチドを生成するのに十分な時間にわたって投与した個体の1種以上のタンパク質またはペプチドの生合成速度をin vitroで決定する方法であって、
(a)前記1種以上の標識および非標識のタンパク質を加水分解して、1種以上の標識および非標識のアミノ酸を生成させるステップ、および
(b)前記1種以上の標識されたアミノ酸への前記1種以上のアイソトープの取込みを検出して、前記1種以上のタンパク質またはペプチドの生合成速度を決定するステップ
を含む、前記方法。
【請求項１２】
前記標識が2Hである、請求項１１に記載の方法。
【請求項１３】
前記加水分解されたアミノ酸またはオリゴペプチドが、ガスクロマトグラフィーまたはHPLCにより分離される、請求項１１に記載の方法。
【請求項１４】
前記1種以上のタンパク質またはペプチドが、骨コラーゲン、肝臓コラーゲン、肺コラーゲン、心臓コラーゲン、筋肉ミオシン、血清ホルモン、血漿アポリポタンパク質、血清アルブミン、凝固因子、免疫グロブリン、およびミトコンドリアタンパク質の全長タンパク質またはペプチド断片よりなる群から選択される、請求項１１に記載の方法。
【請求項１５】
前記個体がヒトである、請求項１１に記載の方法。
【請求項１６】
2H、3H、および18Oよりなる群から選択される標識で標識された水を、その標識水の標識が1種以上のタンパク質またはペプチドに取り込まれて標識および非標識のタンパク質またはペプチドを生成するのに十分な時間にわたって投与し、前記標識および非標識のタンパク質またはペプチドが生成した時点で前記投与を中断した個体の1種以上のタンパク質またはペプチドの分解速度をin vitroで決定する方法であって、
(a)前記1種以上の標識されたタンパク質またはペプチドへの前記標識の取込みを検出して、前記1種以上のタンパク質またはペプチドの分解速度を決定するステップ
を含む、前記方法。
【請求項１７】
前記標識が2Hである、請求項１６に記載の方法。
【請求項１８】
ステップ(a)の前に、前記1種以上のタンパク質またはペプチドを部分的に精製する追加のステップを含む、請求項１６に記載の方法。
【請求項１９】
前記1種以上のタンパク質またはペプチドが、質量分析法または液体シンチレーション計数法により検出される、請求項１６に記載の方法。
【請求項２０】
前記標識水が前記個体に経口投与されている、請求項１６に記載の方法。
【請求項２１】
ステップ(a)の前に、前記1種以上のタンパク質またはペプチドを加水分解して、加水分解されたアミノ酸および場合によりオリゴタンパク質を生成させる追加のステップを含む、請求項１６に記載の方法。
【請求項２２】
前記個体がヒトである、請求項１６に記載の方法。
【請求項２３】
前記1種以上のタンパク質またはペプチドが、骨コラーゲン、肝臓コラーゲン、肺コラーゲン、心臓コラーゲン、筋肉ミオシン、血清ホルモン、血漿アポリポタンパク質、血清アルブミン、凝固因子、免疫グロブリン、およびミトコンドリアタンパク質の全長タンパク質または断片よりなる群から選択される、請求項１６に記載の方法。
【請求項２４】
2H、3H、および18Oよりなる群から選択される標識で標識された水を、その標識水の標識が1種以上のタンパク質またはペプチドに取り込まれて標識および非標識のタンパク質またはペプチドを生成するのに十分な時間にわたって投与し、前記標識および非標識のタンパク質またはペプチドが生成した時点で前記投与を中断した個体の1種以上のタンパク質またはペプチドの分解速度をin vitroで決定する方法であって、
(a)前記1種以上の標識および非標識のタンパク質またはペプチドを加水分解して、1種以上の標識または非標識のアミノ酸を生成させるステップ、および
(b)前記1種以上の標識アミノ酸への前記標識の取込みを検出して、前記1種以上のタンパク質またはペプチドの分解速度を決定するステップ
を含む、前記方法。
【請求項２５】
前記標識が2Hである、請求項２４に記載の方法。
【請求項２６】
前記加水分解されたアミノ酸またはオリゴペプチドが、ガスクロマトグラフィーまたはHPLCにより分離される、請求項２４に記載の方法。
【請求項２７】
前記個体がヒトである、請求項２４に記載の方法。
【請求項２８】
骨粗鬆症のリスクを同定する方法であって、請求項１に記載の方法により骨コラーゲンの生合成速度を決定するステップまたは請求項１６に記載の方法により骨コラーゲンの分解速度を決定するステップを含み、前記1種以上のタンパク質またはペプチドが骨コラーゲンを含む、前記方法。
【請求項２９】
ホルモン補充療法に対する応答を確認する方法であって、請求項１に記載の方法により骨コラーゲンの生合成速度を決定するステップまたは請求項１６に記載の方法により骨コラーゲンの分解速度を決定するステップを含み、前記1種以上のタンパク質またはペプチドが骨コラーゲンを含む、前記方法。
【請求項３０】
脂質低下剤による処置に対する応答を確認する方法であって、請求項１に記載の方法により生合成速度を決定するステップまたは請求項１６に記載の方法により分解速度を決定するステップを含み、前記1種以上のタンパク質またはペプチドがアポリポタンパク質Bを含む、前記方法。
【請求項３１】
運動トレーニングレジメンまたは医学的リハビリテーションレジメンに対する応答を確認する方法であって、請求項１に記載の方法により生合成速度を決定するステップまたは請求項１６に記載の方法により分解速度を決定するステップを含み、前記1種以上のタンパク質またはペプチドが1種以上の筋肉タンパク質を含む、前記方法。
【請求項３２】
肥大対過形成指数を決定する方法であって、請求項１に記載の方法により生合成速度を決定するかまたは請求項１６に記載の方法により分解速度を決定することにより、タンパク質合成速度:DNA合成速度の比を求めることを含む、前記方法。
【請求項３３】
ワクチン接種後または感染暴露後に個体中における特定の免疫グロブリンの存在または力価を確認する方法であって、請求項１に記載の方法により生合成速度を決定するステップまたは請求項１６に記載の方法により分解速度を決定するステップを含み、前記1種以上のタンパク質またはペプチドが1種以上の免疫グロブリンを含む、前記方法。
【請求項３４】
個体中における1種以上のタンパク質またはペプチドの生合成速度または分解速度を決定するためのキットであって、
a)標識水と、
b)前記キットを使用するための取扱い説明書と、
を備え、
個体中における1種以上のタンパク質またはペプチドの生合成速度または分解速度を決定するために使用される、前記キット。
【請求項３５】
尿、骨、または筋肉からタンパク質を単離するための化合物をさらに含む、請求項３４に記載のキット。
【請求項３６】
標識水を投与するためのツールをさらに含む、請求項３４に記載のキット。
【請求項３７】
前記被験体からサンプルを採取するための器具をさらに含む、請求項３４に記載のキット。